(57)【要約】【課題】コイルスプリングの形状、大きさ等に関係なく圧縮作業を可能とした汎用性のコイルスプリング圧縮装置を提供する。【解決手段】ショックアブソーバ３に設けられているロアシート２１上にセットされたコイルスプリング６の左右に掛け止めする左右一対のフック１３ａ、１３ｂと、このフック１３ａ、１３ｂに取り付けられたワイヤロープ１８ａ、１８ｂと、このワイヤロープ１８ａ、１８ｂを巻き取るための左右一対の巻き取り滑車１７ａ、１７ｂを回転し、かつ左右の巻き取り滑車１７ａ、１７ｂの差動を吸収する差動歯車装置１５と、この差動歯車装置１５を駆動するモータ１６とを備えた。【選択図】図２
2007210080.tif 000002
【特許請求の範囲】
【請求項１】
ショックアブソーバに設けられているロアシート上にセットされたコイルスプリングの左右に掛け止めする左右一対のフックと、このフックに取り付けられたワイヤロープと、このワイヤロープを巻き取るための左右一対の巻き取り滑車を回転し、かつ左右の巻き取り滑車の差動を吸収する差動歯車装置と、この差動歯車装置を駆動するモータとを備え、圧縮されたコイルスプリングの上部からアッパシートをナットランナによりナット締め付けするようにしたことを特徴とするコイルスプリング圧縮装置。
【請求項２】
請求項１に記載のコイルスプリング圧縮装置において、ワイヤロープを巻き取るための左右一対の滑車の近傍にワイヤロープの巻き取り軸線とコイルスプリングの軸線とを同軸線に合わせるために、ワイヤロープ巻き取り軸線調整用滑車を前後方向に位置調整可能に配置したことを特徴とするコイルスプリング圧縮装置。
【請求項３】
左右一対のフックをフック把持用ハンドルに設け、このフック把持用ハンドルにハンドル吊り下げ用スプリングバランサを取り付けた請求項１及び請求項２のいずれかに記載のコイルスプリング圧縮装置。
【発明の詳細な説明】
【技術分野】
【０００１】
本発明は、例えば自動車の懸架機構部に用いられるコイルスプリングの圧縮装置に関するものである。
【背景技術】
【０００２】
自動車の懸架機構部に使用されるストラットはショックアブソーバと、ショックアブソーバの上方に突出するロッドと、ロッドの上端部に設けられたアッパシート及びマウントインシュレータと、懸架ばねとしてのコイルスプリングを備えている。このコイルスプリングはショックアブソーバに設けたロアシートとアッパシートとの間に圧縮された状態で組み付けられる。
【０００３】
従来のコイルスプリングの圧縮装置としては図６で示すように、ロッド４を突出したショックアブソーバ３に設けられているロアシート２１上にセットされたコイルスプリング６の左右位置にサーボモータ３０ａ、３０ｂによって回転するボールねじ３１ａ、３１ｂをコイルスプリング６の軸線と平行な軸線で配置し、このボールねじ３１ａ、３１ｂによって昇降動する左右一対のフック３２ａ、３２ｂをコイルスプリング６の左右に掛け止めしてフック３２ａ、３２ｂを下降動しコイルスプリング６を圧縮するようにした構造のものがある。このものは、コイルスプリング６の巻き角度違いや巻き径が違うと、これに対応するよう改造しなけけばならず汎用性が欠如している問題がある。
【０００４】
また、図７で示すように、ロッド４を突出したショックアブソーバ３に設けられているロアシート２１上にセットされたコイルスプリング６の左右位置に圧縮位置保持用のガイド部材３５ａ、３５ｂを配置し、コイルスプリング６の上部にコイルスプリング６の上端に当接する圧縮部材３４と、この圧縮部材３４をコイルスプリング６を押圧するボールねじ内蔵のサーボモータ３３とを備えた構造のものがある。このものは、コイルスプリング６の圧縮後にイルスプリング６の上面にアッパシートを締め付け作業するため、圧縮位置保持用のガイド部材３５ａ、３５ｂを使用して圧縮位置保持するが、この圧縮位置保持を解除した時の衝撃で部品ズレやコイルスプリング６にキズが発生する問題がある。
【特許文献１】特開２００１−３０１２５公報
【発明の開示】
【発明が解決しようとする課題】
【０００５】
本発明は、このような従来の問題点に鑑みて、コイルスプリングの形状、大きさ等に関係なく圧縮作業を可能とした汎用性のコイルスプリング圧縮装置を提供することを目的とする。
【課題を解決するための手段】
【０００６】
本発明は、この目的を達成するために、請求項１に記載の通り、ショックアブソーバに設けられているロアシート上にセットされたコイルスプリングの左右に掛け止めする左右一対のフックと、このフックに取り付けられたワイヤロープと、このワイヤロープを巻き取るための左右一対の巻き取り滑車を回転し、かつ左右の巻き取り滑車の差動を吸収する差動歯車装置と、この差動歯車装置を駆動するモータとを備え、圧縮されたコイルスプリングの上部からアッパシートをナットランナによりナット締め付けするようにしたことを特徴とするものである。
【０００７】
請求項２に記載の通り、上記コイルスプリング圧縮装置において、ワイヤロープを巻き取るための左右一対の滑車の近傍にワイヤロープの巻き取り軸線とコイルスプリングの軸線とを同軸線に合わせるために、ワイヤロープ巻き取り軸線調整用滑車を前後方向に位置調整可能に配置したことを特徴とするものである。
【０００８】
請求項３に記載の通り、上記コイルスプリング圧縮装置において、左右一対のフックをフック把持用ハンドルに設け、このフック把持用ハンドルにハンドル吊り下げ用スプリングバランサを取り付けたものである。
【発明の効果】
【０００９】
本発明によれば、コイルスプリングに掛け止めする左右一対のフックはワイヤロープに取り付けられているため、自由に動かすことができコイルスプリングの形状、大きさ等が違っていても掛け止めが可能となり汎用性を有している。また、ワイヤロープを巻き取る左右の滑車は差動歯車装置によって回転駆動するため、左右の滑車の差動を差動歯車装置によって吸収し、左右のフックはコイルスプリングの左右を均等に引き下げて圧縮作動する。さらに、ワイヤロープ巻き取り軸線調整用滑車によってワイヤロープの巻き取り軸線とコイルスプリングの軸線とを同軸線に合わせてワイヤロープを巻き取るため、ワイヤロープ１がロアシートと接触することが回避されコイルスプリングに対し圧縮作用力が有効に作用する。さらにまた、フックをフック把持用ハンドルに設け、このフック把持用ハンドルにハンドル吊り下げ用スプリングバランサを取り付けた構成により、作業者がフックをコイルスプリングに掛け止めしたり外したりする操作が楽になり作業労力が軽減される等の効果を有している。
【発明を実施するための最良の形態】
【００１０】
以下本発明を実施するための最良の形態について図面に基づいて説明する。図１において、１は装置本体であり、コイルスプリング６を圧縮してロッド４を突出しているショックアブソーバ３に組み付けるため前記ショックアブソーバ３の設置部５を有する基台２と、基台から直立する壁体７の前面に固定されショックアブソーバ３にセットされたコイルスプリング６のガイド部材８と、装置本体１の前方に配置した起動釦１１と、前記壁体７の背面上部に配置したナットランナ９と、前記壁体７の側面に配置した操作盤１０と、前記壁体７の背面に設けた制御盤１２とから構成され、係る装置本体１に本発明によるコイルスプリング圧縮装置の主要部が設けられている。
【００１１】
本発明によるコイルスプリング圧縮装置の主要部の構成について図２により説明する。３は前記したショックアブソーバ３でありロッド４が突出しており、コイルスプリング６を承けるロアシート２１が設けられている。このショックアブソーバ３に設けられているロアシート２１上にセットされたコイルスプリング６の左右に掛け止めする左右一対のフック１３ａ、１３ｂと、このフック１３ａ、１３ｂに取り付けられたワイヤロープ１８ａ、１８ｂ（ワイヤロープに代えてベルトでも可）と、このワイヤロープ１８ａ、１８ｂを巻き取るための左右一対の巻き取り滑車１７ａ、１７ｂを回転し、かつ左右の巻き取り滑車１７ａ、１７ｂの差動を吸収する差動歯車装置１５と、この差動歯車装置１５を駆動するモータ１６とから構成されている。前記左右一対の巻き取り滑車１７ａ、１７ｂは差動歯車装置１５によって回転する左右一対の回転軸１６ａ、１６ｂに取り付けられている。      
【００１２】
前記ワイヤロープ１８ａ、１８ｂを巻き取るための左右一対の巻き取り滑車１７ａ、１７ｂの近傍にワイヤロープ１８ａ、１８ｂの巻き取り軸線とコイルスプリング６の軸線とを同軸線に合わせるために、ワイヤロープ巻き取り軸線調整用滑車１９ａ、１９ｂを前後方向に位置調整可能に配置している。
【００１３】
前記左右一対のフック１３ａ、１３ｂをフック把持用ハンドル１４ａ１４ｂに設け、このフック把持用ハンドル１４ａ１４ｂにハンドル吊り下げ用スプリングバランサ２０ａ、２０ｂを取り付けている。
【００１４】
本発明は上記の通りの構成であるから、コイルスプリング６の圧縮作業を休止しているときにはフック１３ａ、１３ｂはフック把持用ハンドル１４ａ１４ｂを介して装置本体１の側壁に掛け止めされている。コイルスプリング６の圧縮作業では、フック把持用ハンドル１４ａ１４ｂを装置本体１の側壁から取り外して装置本体１に設置したショックアブソーバ３に設けられているロアシート２１上にセットされたコイルスプリング６の左右にフック１３ａ、１３ｂを掛けて止めする。
【００１５】
次いで、作業者が起動釦１１をＯＮしてモータ１６を正転起動し差動歯車装置１５を介して回転軸１６ａ、１６ｂにより巻き取り滑車１７ａ、１７ｂはワイヤロープ１８ａ、１８ｂを巻き取り、フック１３ａ、１３ｂによってコイルスプリング６を引き下げて圧縮する。このワイヤロープ１８ａ、１８ｂを巻き取りは操作盤１０で設定した位置で制御盤１２により停止制御される。
【００１６】
前記ワイヤロープ１８ａ、１８ｂの巻き取り中のコイルスプリング６の負荷は差動歯車装置１５でバランスがとられる。すなわち、左右の巻き取り滑車１７ａ、１７ｂの差動を吸収する。
【００１７】
前記のようにしてコイルスプリング６を圧縮状態にした後、コイルスプリング６の上部からアッパシート（図略）をナットランナ９によりナット締め付けしてショックアブソーバ３に対しコイルスプリング６の組み付け作業が完了し、モータ１６を逆転して定位置で停止させ緊張していたワイヤロープ１８ａ、１８ｂを緩め、フック１３ａ、１３ｂをコイルスプリング６から外してフック把持用ハンドル１４ａ１４ｂを介して装置本体１の側壁に掛け止めし、コイルスプリング６の組み付けたショックアブソーバ３を作業者にて装置本体１から取り出す。
【００１８】
そこで、本発明はコイルスプリング６に掛け止めする左右一対のフック１３ａ、１３ｂはワイヤロープ１８ａ、１８ｂに取り付けられているため、自由に動かすことができコイルスプリング６の形状、大きさ等が違っていても掛け止めが可能となり汎用性を有している。すなわち、図３で示すような太鼓形状のコイルスプリング６や図４で示す円錐形状のコイルスプリング６であってもコイルスプリング６の巻き角度違いや巻き径が違っていてもフック１３ａ、１３ｂをコイルスプリング６に掛け止めが可能である。従って、コイルスプリング６の形状、大きさが変更する車種切り替え時に、それに対応する装置に更新する必要がないので、生産変動により装置台数を増加することがなくなり設備費の投資削減が図れる経済効果を有する。
【００１９】
また、ワイヤロープ６を巻き取るための左右一対の滑車の近傍にワイヤロープ１８ａ、１８ｂの巻き取り軸線とコイルスプリング６の軸線とを同軸線に合わせるために、ワイヤロープ巻き取り軸線調整用滑車１９ａ、１９ｂを前後方向に位置調整可能に配置したことにより図５で示すように、ワイヤロープ１８ａ、１８ｂの巻き取り軸線とコイルスプリングの軸線とを同軸線に合わせてワイヤロープ１８ａ、１８ｂを巻き取るため、ワイヤロープ１８ａ、１８ｂがロアシート２１と接触することが回避されコイルスプリング６に対し圧縮作用力が有効に作用する利点を有している。
【００２０】
さらに、フック１３ａ、１３ｂをフック把持用ハンドル１４ａ、１４ｂに設け、このフック把持用ハンドル１４ａ１４ｂにハンドル吊り下げ用スプリングバランサ２０ａ、２０ｂを取り付けた構成により、作業者がフック１３ａ、１３ｂをコイルスプリング６に掛け止めしたり外したりする操作が楽になり作業労力が軽減される利点を有している。
【図面の簡単な説明】
【００２１】
【図１】装置本体の斜視図
【図２】装置本体に装備される本発明の主要部の正面図
【図３】本発明装置により太鼓形状のコイルスプリングの圧縮状態を示す正面図
【図４】本発明装置により円錐形状のコイルスプリングの圧縮状態を示す正面図
【図５】図３の側面図
【図６】従来装置を示す要部の正面図
【図７】従来装置を示す要部の正面図
【符号の説明】
【００２２】
１       装置本体
２       基台
３       ショックアブソーバ
４       ロッド
５       ショックアブソーバの設置部
６       コイルスプリング
７       壁体
８       ガイド部材
１０       操作盤
１１       起動釦
１２       制御盤
１３ａ     フック
１３ｂ     フック
１４ａ     フック把持用ハンドル
１４ｂ     フック把持用ハンドル
１５       差動歯車装置
１６       モータ
１６ａ     回転軸
１６ｂ     回転軸
１７ａ     巻き取り滑車
１７ｂ     巻き取り滑車
１８ａ     ワイヤロープ
１８ｂ     ワイヤロープ
１９ａ     ワイヤロープ巻き取り軸線調整用滑車
１９ｂ     ワイヤロープ巻き取り軸線調整用滑車
２０ａ     ハンドル吊り下げ用スプリングバランサ
２０ｂ     ハンドル吊り下げ用スプリングバランサ
２１       ロアシート
【図１】
2007210080.tif 000003
【図２】
2007210080.tif 000004
【図３】
2007210080.tif 000005
【図４】
2007210080.tif 000006
【図５】
2007210080.tif 000007
【図６】
2007210080.tif 000008
【図７】
2007210080.tif 000009